(57)【特許請求の範囲】
【請求項１】
アッパー材のカラー部分に固定されている上部開口部分と、第１の中底材に縫合されている底部周縁エッジ部分とを有する、少なくとも防水性で、透湿性である機能層を含む積層ライナー材；
上部表面及び底部表面を有する防水性ガスケット材であって、該上部表面が、該第１の中底材と、該積層ライナー材の該底部エッジ部分の少なくとも一部とに接着されており、かつ該第１の中底材と、該積層ライナー材の該底部エッジ部分の少なくとも一部とをカバーしている防水性ガスケット材；
該アッパー材の周縁エッジ部分に縫合されている第２の中底材であって、閉じたアッパーを形成し、該防水性ガスケット材の該底部表面が、該第２の中底材の少なくとも一部と接している中底材：
を含む防水性履物。
【請求項２】
該防水性で、透湿性である機能層が、ポリマー膜材料を含む、請求項１に記載の履物。
【請求項３】
該ポリマー膜材料が、ポリウレタン、ポリエステル、ポリエーテル、ポリアミド、ポリアクリレート、コポリエーテルエステル、及びコポリエーテルアミドから成る群から選択される、請求項２に記載の履物。
【請求項４】
該積層ライナー材が、微孔質の延伸ポリテトラフルオロエチレン層を１層以上と、繊維材料層を１層以上とを含む、請求項１〜３のいずれか一項に記載の履物。
【請求項５】
該ポリマー膜材料が、微孔質の延伸ポリテトラフルオロエチレンを含む、請求項２に記載の履物。
【請求項６】
該第１の中底材が、織布及び不織布材料から選択される材料を含む、請求項１〜５のいずれか一項に記載の履物。
【請求項７】
該第１の中底材が、ポリエステル、ナイロン、ポリアクリル類、ポリオレフィン、ポリウレタン、ポリビニル、綿、アセテート、レーヨン、オレフィン、アクリル樹脂類、羊毛、スパンデックス、金属類、及びそれらの組み合わせからなる群から選択される材料を含む、請求項６に記載の履物。
【請求項８】
該防水性ガスケットが、ポリマー材料、防水性布帛、及びポリマーで被覆されている布帛から成る群から選択される材料を含む、請求項１〜７のいずれか一項に記載の履物。
【請求項９】
該防水性ガスケット材の該上部表面及び該底部表面の少なくとも一方が、その上にポリウレタン接着剤を有する、請求項１〜８のいずれか一項に記載の履物。
【請求項１０】
該ポリウレタン接着剤が、該防水性ガスケット材の該上部表面及び該底部表面上に置かれている、請求項９に記載の履物。
【請求項１１】
接着剤が、該防水性ガスケット材の該底部表面と、該第２の中底材の少なくとも一部との間に置かれている、請求項１〜１０のいずれか一項に記載の履物。
【請求項１２】
外底が履物に固定されている、請求項１〜１１のいずれか一項に記載の履物。
【発明の詳細な説明】
【技術分野】
【０００１】
本発明は、防水性履物及びその作成方法に関する。
【背景技術】
【０００２】
先行技術は、防水性で、通気性がある履物の作成における試みに関する。耐水性を付与するように処理された皮革等のアッパー材とゴム製のソールとからなる履物を作成することを含む履物等を作成するための試みが、早くからなされてきた。したがって、一部の通気性が、実現されている。しかし、この種の履物構成物には、いくつかの問題点が生じている。該アッパー材が、真の防水物から作成されると、通気性能が損なわれてしまう。さらに、結合領域を防水性にする有効な手段がなく、該防水性ソール及び該アッパー間の結合領域が、水漏れの主要源となってしまう。
【０００３】
快適な防水性履物を得る目標に対する別のアプローチには、当該靴の中に防水性の挿入物又はブーティを用いることが含まれる。該靴を履いている時間、該靴内に水蒸気の付着がないため、適切な材料で構成すると、該防水性挿入物は、透湿性に関してさらなる利点を有する。該履物において、防水性及び透湿性を有する人工材料は、一般的に、「機能」材料と称される。上記機能材料の例は、ＧＯＲＥ−ＴＥＸ（商標）の商品名の下、Ｗ．Ｌ．Ｇｏｒｅ  ａｎｄ  Ａｓｓｏｃｉａｔｅｓ，Ｉｎｃ．，Ｅｌｋｔｏｎ，ＭＤから入手できる微孔質の延伸ポリテトラフルオロエチレン膜材料である。他の機能材料も開発され、当業者に周知のものとなっている。
【０００４】
さらなるアプローチは、ラスティングプロセスによって該履物のアッパー内部に防水性で、通気性のライナー材を固定することと、防水性ガスケット又は中底に該ライナー材を密封することとを含んでいる。該ライナー材が、該防水性ガスケット又は中底に取り付けられている領域のところに、耐久性があり、防水性のシール又は結合を提供する種々の試みがある。これらの試みは、様々な程度で成功を収めている。
【０００５】
上記防水性で、通気性の履物を形成する場合に生ずることが多い問題のひとつは、該ライナー又はブーティの該挿入物によって、該ライナー又はブーティと該シューアッパー材との間の取付けが貧弱となり、そして／又は靴のフィット性が乏しくなる（すなわち、既に一定の大きさに作られたシューアッパー内に該ライナーが挿入されるため、フィット性に乏しい）ことが多く、特に、該履物内部が、所望の外見に達しないこととなる（すなわち、該ライナーが、該アッパーから離れるか、又はしわが寄ってみえる）。
【発明の開示】
【発明が解決しようとする課題】
【０００６】
永続的に密封され、防水性があって、通気性がある履物に対する探索が続けられている。
【課題を解決するための手段】
【０００７】
本発明は、防水性履物及びその作成方法に関する。
該履物は：
アッパー材のカラー部分に固定されている上部開口部分と、第１の中底材に固定されている底部周縁エッジ部分とを有する、少なくとも防水性で、透湿性である機能層を含む積層ライナー材；
上部表面及び底部表面を有する防水性ガスケット材であって、該上部表面が、該第１の中底材と、該積層ライナー材の該底部周縁エッジ部分の少なくとも一部とに接着されており、そして該第１の中底材と、該積層ライナー材の該底部周縁エッジ部分の少なくとも一部とをカバーしている防水性ガスケット材；
該アッパー材の周縁エッジ部分に固定されている第２の中底材（閉じたアッパーを形成し、該防水性ガスケット材の該底部表面が、該第２の中底材の少なくとも一部と接触する）、
を含む。
【０００８】
該方法は、次の各段階：
上部開口部分及び底部開口部分を有する、少なくとも防水性で、透湿性である機能層を含む積層ライナー材を用意すること；
第１の中底材を、積層ライナー材の該底部開口部分に固定し、ブーティを形成すること；
該ブーティ内に靴型を配置し、該第１の中底材と該積層ライナー材の周縁エッジ部分とを含む該ブーティの底部部分を形成すること；
上部表面及び底部表面を有する防水性ガスケット材を用意すること；
該ブーティの該底部部分と防水性ガスケット材の上部表面とを接着させること、ここで該防水性ガスケット材は、該第１の中底材と該積層ライナー材の該周縁エッジ部分の少なくとも一部とをカバーして、防水性ブーティを形成する；
周縁エッジ部分を有するシューアッパーのカラー部分に、防水性ブーティの上部開口部分を固定すること；
第２の中底材に、該シューアッパーの該周縁エッジ部分を固定し、アッパーを閉じること；そして
該防水性ガスケット材の該底部表面が、該第２の中底材の少なくとも一部に接するように、閉じたアッパー内部に、該ブーティを配置すること、
を含む。
【発明を実施するための最良の形態】
【０００９】
本発明は、防水性履物及びその作成方法に関する。本方法は、２つの別個のラスティング段階を含み、該積層ライナー材及び該シューアッパーの間のフィット性が、非常に良好であり、それに従って、特に、見て美しい、良好にフィットする履物ができる。
本発明に従う好ましい実施形態を具体的に説明している図を参照して、本発明を、最も良く理解することができる。
【００１０】
図１をみると、上部開口部分２及び底部開口部分３を有する積層ライナー材１が示されている。積層ライナー材の２つのパネルを、合わせて接合することができる随意選択的な継ぎ目４も示されており、シューアッパーの一般的に対応する形状に積層ライナー材１を形成する。積層ライナー材の各部分を、縫合、溶接、接着等によって、合わせて結合させることができる。積層ライナーの各部分を縫合した場合、ＧＯＲＥ−ＳＥＡＭ（商標）テープ（Ｗ．Ｌ．Ｇｏｒｅ  ａｎｄ  Ａｓｓｏｃｉａｔｅｓ，Ｉｎｃ．から入手可能）等の公知の密封材を用いて継ぎ目４を密封することによって、該継ぎ目に防水性を付与することができる。接着又は溶接によって、該積層ライナー部が、本質的に防水性ではない場合、それらを防水性にするため、該継ぎ目に他の密封剤を適用することができる。該積層ライナー材１は、通気性ポリマー膜等の透湿性及び防水性の材料層（すなわち、機能材料）を１種以上含む。本明細書で用いる場合、「透湿性」及び「通気性」は、同義的に用いられ、そして２００ｍ2ＰａＷ-1未満の水蒸気係数、Ｒｅｔを有する機能層を意味する。該透湿性は、ホーエンシュタインスキンモデルによって試験される。該方法は、ＤＩＮ  ＥＮ  ３１０９２（０２／９４）又はＩＳＯ  １１０９２（１９／３３）に記載されている。通気性ポリマー膜は、溶液拡散メカニズムを介するか、又は該膜中の孔の効果によって通気性を確保することができる。通気性ポリマー膜を、ポリウレタン、ポリエステル、ポリエーテル、ポリアミド、ポリアクリレート、コポリエーテルエステル（ｃｏｐｏｌｙｅｔｈｅｒ  ｅｓｔｅｒ）並びにコポリエーテルアミド（ｃｏｐｏｌｙｅｔｈｅｒ  ａｍｉｄｅｓ）から選択することができる。本発明の態様では、該防水性で、透湿性の膜は、微孔質のポリテトラフルオロエチレン膜である。本発明のさらなる態様では、該微孔質のポリテトラフルオロエチレン膜は、米国特許第３，９５３，５６６号明細書及び第４，１８７，３９０号明細書内(ゴア)に教示されるような、延伸ポリテトラフルオロエチレン膜である。そのような延伸ポリテトラフルオロエチレン膜は、ＧＯＲＥ−ＴＥＸ（商標）ｆａｂｒｉｃの商品名の下、Ｗ．Ｌ．Ｇｏｒｅ  ａｎｄ  Ａｓｓｏｃｉａｔｅｓ，Ｉｎｃ．，Ｅｌｋｔｏｎ，ＭＤから購入可能である。該米国特許の両方の対象を、参照の上、本明細書中に組込む。
【００１１】
該積層ライナー材は、少なくとも上述の機能材料と、該材料に積層された１種以上の他の材料とを含むことができる。この点では、該ライナーは、積層又は一つ以上の面に結合されている、そして多くの場合それらの両面に結合されている繊維材料と、該機能材料とを含むことができる。積層形成は、好適な接着剤の不連続パターンを用いて、一般的に実施されている。したがって、透湿性は、重大な影響を受けない。１種以上の他の材料は、テキスタイルファブリックであってもよい。テキスタイルファブリック等は、織物、ニット、メッシュ、不織布、フェルト構成物等であることができる。テキスタイル類を、天然繊維類（綿等）、若しくは合成繊維類（ポリエステル類、ポリアミド類、ポリプロピレン類、ポリオレフィン類等）、又はそれらのブレンドから製造することができる。本発明の態様では、テキスタイルファブリックは、該アッパー材と接している該機能材料の該面に積層されている。本発明のさらなる態様では、テキスタイルファブリックは、該履物内部に面する該機能材料の該面に積層されている。本発明のさらなる態様では、テキスタイルファブリックは、該機能材料の両面に積層されており、したがって、３層のライナー材を提供する。
【００１２】
図２は、概して、足裏の形の第１の中底材５を示している。しかし、明らかとなるように、該第１の中底材５は、後に記述するように、形成されるブーティの底部部分の所望のサイズよりも、実際には幾分小さい。該第１の中底材５は、ブーティを形成するような該積層ライナーの該底部部分を固定することができる任意の好適な材料であることができる。該第１の中底材５は、織物又は不織布材料であることができる。例えば、該第１の中底材５は、ポリエステル、ナイロン、ポリアクリル類（ｐｏｌｙａｃｒｙｌｉｃ）、ポリオレフィン、ポリウレタン、ポリビニル、綿、アセテート、レーヨン、オレフィン、アクリル樹脂類、羊毛、スパンデックス、金属類（ｍｅｔａｌｌｉｃ）等であることができる。明らかになる理由において、該第１の中底材５が、防水性又はさらに耐水性であることは、特に重要ではない。任意の好適な手段によって、該第１の中底材５を、該積層ライナー材１の該底部部分に固定することができる。例えば、縫合、ステープル留め、超音波溶接等によって、該中底材５を、該積層ライナー材の該底部部分に固定することができ、その中で縫合が好ましい。該第１の中底材５を積層ライナー材１の該底部部分に固定した上で、履く者の足を受け入れられるように形成されているブーティを得る。
【００１３】
一度、該ブーティが形成されると、第１のラスティングプロセスが実施される。特に、靴型が、該上部開口部分２のところで該ブーティ内に挿入され、該ブーティを該靴型の精密な形状に形成する。図３に示すように、該靴型が、該ブーティ内に挿入されると、該ブーティの該底部表面部分が、該第１の中底材５と、折り重なった該積層ライナー材１の周縁エッジ部分とを含むことができる。この時点で、該ブーティは、防水性ガスケット材を取付ける準備が整っている。該積層ライナー材１に該防水性ガスケットを取り付けることによって、該ブーティが該靴型形状の複製物に固定化されることとなる。
【００１４】
図４をみると、該ブーティ内に配置されている靴型６と共に、該ブーティの断面図が示されている。図に示すように、上部表面及び底部表面を有する防水性ガスケット材７が、該ブーティの該底部表面部分に接着されており、防水性ブーティを形成している。該防水性ガスケット材７は、任意の好適な防水性材料であることができる。例えば、好適な防水性ガスケット材７は、ポリマー材料類と、防水性布帛類（織物又は不織布のいずれか）と、ポリマーで被覆されている布帛類とである。該第１の中底材５及び該積層ライナー材１の該周縁エッジ部分の一部以上が、該防水性ガスケット材７の該上部表面によってカバーされるように、該防水性ガスケット材７の該上部表面を、該ブーティの該底部表面部分の一部に接着させ、それに伴って防水性ブーティを形成する。該防水性ガスケット材７は、任意の好適な接着剤を用いて、該ブーティの底部表面部分に接着させることができる。好適な接着剤の非限定的な例には、例えば、ポリウレタン、天然ラテックス、ニトリルゴム、シリコーンゴム、ブチルゴム、フッ素化ゴム、コポリエーテルポリエステル（ｃｏｐｏｌｙｅｔｈｅｒ  ｐｏｌｙｅｓｔｅｒ）、ポリエステル、エチレンビニルアセテート又はポリアミドが含まれる。本発明の態様では、該接着剤はポリウレタン接着剤である。該ポリウレタン接着剤は、それに熱をかけることで活性化する反応性ポリウレタンであることができる。該接着剤を、あらかじめ該ガスケット材７に適用するか、又は履物アセンブリの当該ポイントのところで、ブラッシング等によって適用することができる。さらに、該接着剤を、該ブーティの該底部表面部分に適用することができ、実質的に該ブーティの底部表面部分の全体をカバーすることが好ましい。当然ながら、接着剤を、該防水性ガスケット材７及び該ブーティの該底部表面部分の両方に適用することができる。
【００１５】
反応性ポリウレタン接着剤を用いる場合、該接着剤を該防水性ガスケットの該上部表面部分の該表面（若しくは該ブーティの該底部表面部分、又はその両方）に適用することができ、そして乾燥させることができる。その後、該防水性ガスケット材７の該上部表面と、該ブーティの該底部表面部分が、合わせてプレスされ、そして柔らかくするための熱であって、ポリウレタンを反応させるための熱でもあって、該２つの表面間の接着を形成させるためでもある熱がかけられ、それによって、防水性ブーティが形成される。本発明の態様では、上述のような反応性ポリウレタンを適用することができるが、むしろ、該ポリウレタンを乾燥させるよりは、該防水性ガスケットの該上部表面と、該ブーティの該底部表面部分とを、直ちに合わせてプレスして、該防水性ブーティを形成することができる。本発明のさらなる態様では、該防水性ガスケット材は、３層のガスケット材であって、その表面上に、安定で非流動性のポリマーフィルム（ポリウレタン等）と、該安定で非流動性のポリマーフィルムの他の面に適用される流動性ポリマー接着剤とを有する織物又は不織布材料が含まれる。熱及び圧力の適用に基づいて、該流動性ポリマー接着剤は、該防水性ガスケット材を該ブーティの該底部表面と結合させることができ、一方、該安定な、非流動性のポリマーフィルムは、該状況下で安定なままであるので、該ガスケットの防水性を維持することとなる。そのような防水性ガスケットを、事前に作成し、そして履物作成の該ポイントのところに据え付けることができ、それにより履物アセンブリの当該箇所のところで、現場の作業者が該ガスケットに接着剤を適用する段階を排除することができる。
【００１６】
その後、該ブーティの該上部開口部分２を、図５に示されるシューアッパー９のカラー部分８に固定させることができる。皮革又は布帛等の任意の好適な材料を用いて、該シューアッパー９を形成することができる。該ブーティの該上部開口部分２を、該シューアッパー９のカラー部分８に固定させるため、任意の好適な手段を用いることができる。本発明の態様では、縫合によって、該ブーティの該上部開口部分２を、該シューアッパー９のカラー部分８に固定する。本発明のさらなる態様では、該防水性ガスケット材７を該ブーティの該底部表面部分に接着させる前に、該ブーティの該上部開口部分２を、該シューアッパー９のカラー部分８に固定させることができる。次いで、該シューアッパー９を第２の中底材に取り付ける前に、上記のように、該防水性ガスケットを、該ブーティの底部に適用することができる。
【００１７】
任意の場合において、一度、該防水性ブーティの該上部開口部分２を、該シューアッパー９の該カラー部分８に固定すれば、該シューアッパー９を閉じることとなる。特に、下記操作によって、ダメージを受けないように、該防水性ブーティを、該シューアッパー９のカラー領域内に引き上げる。該シューアッパー９の該周縁エッジ部分を、第２の中底材に固定し、閉じたアッパーを形成する。該アッパー９の第２の中底材への固定化を、例えば、ステープル留め、縫合等によって、達成することができる。好ましい実施形態では、該シューアッパーの該周縁エッジ部分を該第２の中底材に縫合することによって、該閉じたアッパーを形成することができる。該第１の中底材用に上記列挙される材料等の任意の好適な材料を、該第２の中底材用に用いることができる。一度、該閉じたアッパーが形成されると、次いで、該防水性ブーティが、該閉じたアッパー内に戻される（この段階には、圧縮空気の使用が効果的である）。次いで、該履物の作成作業は、マニュアルスリップ又はフォースラスティングによって完了する。これによって、該ブーティ及び該閉じたアッパーの間に非常にタイトなフィット性が生じ、そして該防水性ガスケット材の該底部表面が、該第２の中底材の少なくとも一部と接することとなる。
【００１８】
本発明の態様では、上述のような好適な接着剤を、該防水性ガスケットの該底部表面、該第２の中底材の該上部表面、該シューアッパーの該周縁エッジ部分、又は２種以上のこれら表面に適用することができ、該防水性ブーティ及び該閉じたアッパーの間の付着が改良されることとなる。任意の場合において、該表面を合わせて接着させるため、圧力をかけることができる。実施形態によっては、該防水性ガスケット材の該底部表面を、該第２の中底材の該上部表面に接着させることが好ましい。本発明の態様では、用いられる該接着剤は、加熱活性化接着剤であることができる。詳細には、反応性ポリウレタン接着剤を用いることができる。該接着剤が、加熱活性化接着剤である場合には、当然ながら、次いで、該防水性ガスケット材７及び該中底ボード１０に圧力を加えることに加え、熱を加えることとなる。これによって、該ブーティ及び該中底ボード間の安定した結合が生ずる。接着剤が用いられる場合、該防水性ガスケット材の該底部表面は、第２の中底材と実際には接触させることができないことに、留意すべきである。それは、それらの間に配置されている接着剤層のためである。しかし、本明細書及び特許請求の範囲内で用いる場合に、該防水性ガスケット材の該底部表面が、該第２の中底材の少なくとも一部と「接する」ことが記載されているときは、ここには、接着剤層が該表面相互間に配置されている実施形態を含むのみで、したがって、恐らく、該表面同士は、実際に接触することから妨げられることになるであろう。
【００１９】
次いで、好適な外底材を該履物の該底部表面に取り付けるために、一般的な段階を用いることができる。
完了に関して、図６は、本発明に従う該履物の断面図であり、一般的な外底が１１として示されている。外底１１は、ポリウレタン、天然ゴム、合成ゴム類、皮革、合成皮革、ポリビニルクロライド、エチレンビニルアセテート等、及びそれらの組み合わせ等の任意の好適な材料であることができる。
【００２０】
「防水性履物」が意味するところを、次のように決定する。該履物を、吸取り紙の一部上に配置する。該履物の内部を、約３０ｍｍの高さまで、室温の水で満たす（該履物の当該かかと領域で、該中底から測定する）。少なくとも２時間の間、該水を、該履物中に留める。該２時間の最後に、該吸取り紙及び履物のアッパーを検査し、水が該吸取り紙または該シューアッパーの外側に達していないか測定する。次いで、水が、該吸取り紙又は該アッパーの外側に達していない場合、該履物は、防水性であるといえる。
【００２１】
本明細書で用いる場合、本発明に従う該履物を形成するために、「防水性で、透湿性の機能層」と「防水性ガスケット材」とを結合させると、上述のような「防水性」の該履物を生ずる場合には、該「防水性で、透湿性の機能層」と、該「防水性ガスケット材」とは、「防水性」であるといえる。
【００２２】
本発明の特定の実施形態が、本明細書中で具体的に説明され、そして記述されているが、本発明は、そのような具体的な説明類及び記述類には限定されるべきではない。変更及び改変が、次の特許請求の範囲に本発明の一部として組込まれ、そして具体化されることができることは明らかであろう。
【図面の簡単な説明】
【００２３】
本発明の実施は、添付の図面類と共に考慮に入れると、次の記述から明らかとなるであろう。
【図１】図１は、上部開口部分及び底部開口部分を有する積層ライナー材の斜視図である。
【図２】図２は、第１の中底材の斜視図である。
【図３】図３は、ブーティの底面図である。
【図４】図４は、該ブーティの底部に適用される防水性ガスケット及び該ブーティの断面図である。
【図５】図５は、シューアッパーに取り付けられる前の、該シューアッパー及び第２の中底材の斜視図である。
【図６】図６は、本発明の防水性履物製品の断面図である。
【図１】
0004833828.tif 000002
【図２】
0004833828.tif 000003
【図３】
0004833828.tif 000004
【図４】
0004833828.tif 000005
【図５】
0004833828.tif 000006
【図６】
0004833828.tif 000007